【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
ピクチャのビデオ・データを符号化するための装置であって、
前記ビデオ・データは、局在的な輝度変動を有し、
前記装置は、局在化された重み関数を使用して前記局在的な輝度変動に対する重みを決定し前記ビデオ・データをインター符号化するためのエンコーダを備え、
前記局在化された重み関数の前記重みは、明示的符号化なしで導出される、前記装置。
【請求項２】
前記ビデオ・データはブロックで分割可能であり、前記ピクチャ中のブロックに対する前記重みは、前記ピクチャ中の前記ブロックの前に符号化され再構成された近隣ピクセルと、参照ピクチャ中の対応するピクセルとから推定される、請求項１に記載の装置。
【請求項３】
前記参照ピクチャ中の前記対応するピクセルは、同じ場所に位置するピクセルである、請求項２に記載の装置。
【請求項４】
前記参照ピクチャ中の前記対応するピクセルは、前記ブロックをインター符号化するのに使用された動きベクトルから動き補償される、請求項２に記載の装置。
【請求項５】
前記再構成された近隣ピクセルは、利用可能な上、利用可能な左、又は利用可能な左上のピクセルの何れかとすることができる、請求項２に記載の装置。
【請求項６】
前記再構成された近隣ピクセルは、近隣ブロックの動き情報に基づいて適応的に選択された利用可能な上、左、又は左上のピクセルの何れかとすることができる、請求項２に記載の装置。
【請求項７】
前記局在化された重み関数は参照ピクチャ中の動き予測されたブロックに適用され、前記重み付けされた予測済み動きブロックに対して動き補償が実施される、請求項１に記載の装置。
【請求項８】
前記局在化された重み関数は、多項式関数、線形関数、および非線形関数のうちの１つである、請求項１に記載の装置。
【請求項９】
前記局在化された重み関数は多項式関数であり、前記多項式関数の次数は、信号伝達し参照ピクチャ・インデックスに関連付けることができる、請求項１に記載の装置。
【請求項１０】
１次多項式が使用され、１次係数は１に等しく、０次係数は、現ピクチャ中の近隣ピクセルと、参照ピクチャ中の動き予測されたまたは同じ場所に位置するピクセルとの差分の平均から推定される、請求項８に記載の装置。
【請求項１１】
前記ビデオ・データはマクロブロックに分割可能であり、マクロブロックに対して可変ブロック・サイズがサポートされ、現マクロブロック中の何れかのブロックに対し、前記０次係数は、前記現マクロブロックの近隣ピクセルの平均と、前記参照ピクチャ中の動き予測されたまたは同じ場所に位置する現ブロックの近隣ピクセルの平均との差分として計算される、請求項１０に記載の装置。
【請求項１２】
前記現マクロブロック中の前記何れかのブロックに対し、前記０次係数はまた、前記現マクロブロックの近隣ピクセルの平均と、前記参照ピクチャ中の同じ場所に位置するマクロブロックの近隣ピクセルの平均との差分として計算することができる、請求項１１に記載の装置。
【請求項１３】
前記画像データはブロックで分割可能であり、前記ピクチャ中のブロックに対する前記重みは、前記ピクチャ中の前記ブロックの前に符号化され再構成された近隣ピクセルと、参照ピクチャ中の濾波された対応する動き予測済みのまたは同じ場所に位置するピクセルとから推定される、請求項１に記載の装置。
【請求項１４】
前記再構成された近隣ピクセルは、利用可能な上、利用可能な左、又は利用可能な左上のピクセルの何れかとすることができる、請求項１３に記載の装置。
【請求項１５】
前記再構成された近隣ピクセルは、近隣ブロックの動き情報に基づいて適応的に選択された利用可能な上、左、又は左上のピクセルの何れかとすることができる、請求項１３に記載の装置。
【請求項１６】
前記局在化された重み関数は、参照ピクチャ中の濾波された動き予測済みブロックに対して適用され、前記重み付けされた予測済みおよび濾波済みの動きブロックに対して動き補償が実施される、請求項１に記載の装置。
【請求項１７】
前記エンコーダを１つまたは複数の既存のエンコーダと組み合わせることができ、追加の信号をヘッダ中で使用して、前記１つまたは複数の既存のエンコーダではなく前記エンコーダが利用されているかどうかが示される、請求項１に記載の装置。
【請求項１８】
信号伝達を使用して、１組の予測方法のうちの少なくとも１つの予測方法が前記エンコーダを使用できることが示される、請求項１７に記載の装置。
【請求項１９】
前記ビデオ・データは画像ブロックに分割可能であり、前記１組の予測方法のうちの予測方法間の区別は、現画像ブロックに対する幾つかの予測に基づく、請求項１８に記載の装置。
【請求項２０】
信号伝達を使用して、１組の予測方法のうちの少なくとも１つの予測方法が前記エンコーダを使用できることが示される、請求項１に記載の装置。
【請求項２１】
前記ビデオ・データは画像ブロックに分割可能であり、前記１組の予測方法のうちの予測方法間の区別は、現画像ブロックに対する幾つかの予測に基づく、請求項１に記載の装置。
【請求項２２】
前記局在化された重み関数は、前記ビデオ・データのＹ成分または全ての色成分のみに適用される、請求項１に記載の装置。
【請求項２３】
ピクチャのビデオ・データを符号化する方法であって、
前記ビデオ・データは局在的な輝度変動を有し、
局在化された重み関数を使用して前記局在的な輝度変動に対する重みを決定し前記ビデオ・データをインター符号化するステップを含み、
前記局在化された重み関数の前記重みは明示的符号化なしで導出される、前記方法。
【請求項２４】
前記ビデオ・データはブロックで分割可能であり、更に、前記ピクチャ中のブロックに対する前記重みを、前記ピクチャ中の前記ブロックの前に符号化され再構成された近隣ピクセルと、参照ピクチャ中の対応するピクセルとから推定するステップを含む、請求項２３に記載の符号化方法。
【請求項２５】
前記参照ピクチャ中の前記対応するピクセルは、同じ場所に位置するピクセルである、請求項２４に記載の符号化方法。
【請求項２６】
前記参照ピクチャ中の前記対応するピクセルは、前記ブロックをインター符号化するのに使用された動きベクトルから動き補償される、請求項２４に記載の符号化方法。
【請求項２７】
前記再構成された近隣ピクセルは、利用可能な上、利用可能な左、又は利用可能な左上のピクセルの何れかとすることができる、請求項２４に記載の符号化方法。
【請求項２８】
前記再構成された近隣ピクセルは、近隣ブロックの動き情報に基づいて適応的に選択された利用可能な上、左、又は左上のピクセルの何れかとすることができる、請求項２４に記載の符号化方法。
【請求項２９】
前記インター符号化するステップは、前記局在化された重み関数を参照ピクチャ中の動き予測されたブロックに適用するステップと、前記重み付けされた予測済み動きブロックに対して動き補償を実施するステップとを含む、請求項２３に記載の符号化方法。
【請求項３０】
前記局在化された重み関数は、多項式関数、線形関数、および非線形関数のうちの１つである、請求項２３に記載の符号化方法。
【請求項３１】
前記局在化された重み関数は多項式関数であり、前記多項式関数の次数は、信号伝達し参照ピクチャ・インデックスに関連付けることができる、請求項２３に記載の符号化方法。
【請求項３２】
１次多項式が使用され、１次係数は１に等しく、０次係数は、現ピクチャ中の近隣ピクセルと、参照ピクチャ中の動き予測されたまたは同じ場所に位置するピクセルとの差分の平均から推定される、請求項３０に記載の符号化方法。
【請求項３３】
前記ビデオ・データはマクロブロックに分割可能であり、マクロブロックに対して可変ブロック・サイズがサポートされ、現マクロブロック中の何れかのブロックに対し、前記０次係数は、前記現マクロブロックの近隣ピクセルの平均と、前記参照ピクチャ中の動き予測されたまたは同じ場所に位置する現ブロックの近隣ピクセルの平均との差分として計算される、請求項３２に記載の符号化方法。
【請求項３４】
前記現マクロブロック中の前記何れかのブロックに対し、前記０次係数はまた、前記現マクロブロックの近隣ピクセルの平均と、前記参照ピクチャ中の同じ場所に位置するマクロブロックの近隣ピクセルの平均との差分として計算することができる、請求項３３に記載の符号化方法。
【請求項３５】
前記画像データはブロックで分割可能であり、前記インター符号化するステップは、前記ピクチャ中のブロックに対する前記重みを、前記ピクチャ中の前記ブロックの前に符号化され再構成された近隣ピクセルと、参照ピクチャ中の濾波された対応する動き予測済みのまたは同じ場所に位置するピクセルとから推定するステップを含む、請求項２３に記載の符号化方法。
【請求項３６】
前記再構成された近隣ピクセルは、利用可能な上、利用可能な左、利用可能な左上のピクセルの何れかとすることができる、請求項３５に記載の符号化方法。
【請求項３７】
前記再構成された近隣ピクセルは、近隣ブロックの動き情報に基づいて適応的に選択された利用可能な上、左、又は左上のピクセルの何れかとすることができる、請求項３５に記載の符号化方法。
【請求項３８】
前記局在化された重み関数は、参照ピクチャ中の濾波された動き予測済みブロックに対して適用され、前記重み付けされた予測済みおよび濾波済みの動きブロックに対して動き補償が実施される、請求項２３に記載の符号化方法。
【請求項３９】
前記インター符号化するステップを１つまたは複数の既存の符号化ステップと組み合わせるステップを更に含み、追加の信号をヘッダ中で使用して、前記１つまたは複数の既存の符号化ステップではなく前記符号化ステップが利用されているかどうかが示される、請求項２３に記載の符号化方法。
【請求項４０】
信号伝達を使用して、１組の予測方法のうちの少なくとも１つの予測方法が前記符号化ステップを使用できることが示される、請求項３９に記載の符号化方法。
【請求項４１】
前記ビデオ・データは画像ブロックに分割可能であり、前記１組の予測方法のうちの予測方法間の区別は、現画像ブロックに対する幾つかの予測に基づく、請求項４０に記載の符号化方法。
【請求項４２】
信号伝達を使用して、１組の予測方法のうちの少なくとも１つの予測方法が前記符号化ステップを使用できることが示される、請求項２３に記載の符号化方法。
【請求項４３】
前記ビデオ・データは画像ブロックに分割可能であり、前記１組の予測方法のうちの予測方法間の区別は、現画像ブロックに対する幾つかの予測に基づく、請求項２３に記載の符号化方法。
【請求項４４】
前記局在化された重み関数は、前記ビデオ・データのＹ成分または全ての色成分のみに適用される、請求項２３に記載の符号化方法。